(57)【要約】【課題】  提供者オリジナルの印刷物・情報収録媒体を発注可能な、オリジナルブランド提供者、オリジナルコンテンツを用意する顧客、印刷事業者等の三者からなるシステムの提供。【解決手段】  提供者に関する情報を記憶する提供者情報記憶手段と、顧客端末からアクセスし顧客が入力した提供者により発行され提供者の顧客であることを識別する顧客識別情報と、印刷物等の発注情報とを受信する顧客発注情報受信手段と、顧客情報と印刷物発注情報とを記憶する顧客情報記憶手段と、オリジナルブランド提供者が提供する提供者コンテンツを記憶する提供者コンテンツ記憶手段と、顧客ごとのオリジナルコンテンツを記憶するオリジナルコンテンツ記憶手段と、顧客ごとのオリジナルコンテンツを印刷物レイアウト内に配置して、出力可能なレイアウトデータに編集し記憶するレイアウト編集記憶手段と、編集され記憶されたレイアウトデータを出力する出力手段とから構成される。【選択図】  図１
2005208859.tif 000002
【特許請求の範囲】
【請求項１】
オリジナルブランドの印刷物を、提供者が提供者の顧客に対しオンデマンド発注により提供するためにサーバーに設けられるオリジナルブランド印刷物のオンデマンド発注システムであって、
オリジナルブランド提供者を識別する提供者識別情報を含む提供者情報を記憶する提供者情報記憶手段と、
顧客端末からネットワークを介してアクセスした顧客が入力した、提供者により発行され顧客が提供者の顧客であることを識別する顧客識別情報と、オリジナルブランド提供者が提供する印刷物をオンデマンド印刷により発注するために必要な所定のデータ項目を含む印刷物発注情報とを受信する顧客発注情報受信手段と、
顧客に関する情報である顧客情報と印刷物発注情報とを記憶する顧客情報記憶手段と、
オリジナルブランド提供者が提供する印刷物を構成し、提供者ごとのオリジナルブランドを示す内容として印刷物内に挿入される提供者コンテンツを記憶する提供者コンテンツ記憶手段と、
オリジナルブランド提供者が提供する印刷物を構成し、顧客ごとのオリジナルな内容として印刷物内に挿入されるオリジナルコンテンツを記憶するオリジナルコンテンツ記憶手段と、
顧客ごとに記憶された前記の印刷物発注情報に基づき、提供者ごとの提供者コンテンツと、顧客ごとのオリジナルコンテンツを印刷物レイアウト内に配置して、出力可能なレイアウトデータに編集し記憶するレイアウト編集記憶手段と、
編集され記憶されたレイアウトデータを印刷可能なデータとして出力する出力手段とを含み構成されたことを特徴とする、オンデマンド発注システム。
【請求項２】
オリジナルブランドの情報収録媒体を、提供者が提供者の顧客に対しオンデマンド発注により提供するためにサーバーに設けられるオリジナルブランド情報収録媒体のオンデマンド発注システムであって、
オリジナルブランド提供者を識別する提供者識別情報を含む提供者情報を記憶する提供者情報記憶手段と、
顧客端末からネットワークを介してアクセスした顧客が入力した、提供者により発行され顧客が提供者の顧客であることを識別する顧客識別情報と、オリジナルブランド提供者が提供する情報収録媒体をオンデマンド発注するために必要な所定のデータ項目を含む情報収録媒体発注情報とを受信する顧客発注情報受信手段と、
顧客に関する情報である顧客情報と情報収録媒体発注情報とを記憶する顧客情報記憶手段と、
オリジナルブランド提供者が提供する情報収録媒体に印刷または収録される内容物を構成し、提供者ごとのオリジナルブランドを示す内容として情報収録媒体の内容物内に挿入される提供者コンテンツを記憶する提供者コンテンツ記憶手段と、
オリジナルブランド提供者が提供する情報収録媒体に印刷または収録される内容物を構成し、顧客ごとのオリジナルな内容として情報収録媒体の内容物内に挿入されるオリジナルコンテンツを記憶するオリジナルコンテンツ記憶手段と、
顧客ごとに記憶された前記の情報収録媒体発注情報に基づき、提供者ごとの提供者コンテンツと、顧客ごとのオリジナルコンテンツを情報収録媒体の内容物のレイアウト内に配置して、出力可能なレイアウトデータに編集し記憶するレイアウト編集記憶手段と、
編集され記憶されたレイアウトデータを情報収録媒体に印刷または収録可能なデータとして出力する出力手段とを含み構成されたことを特徴とする、オンデマンド発注システム。
【請求項３】
請求項１または２のいずれかに記載の発明において、
オリジナルブランド提供者は、遊戯施設・娯楽施設・文化施設・スポーツ施設・宿泊施設・交通機関・観光施設・冠婚施設を含む、顧客が利用する顧客利用施設であって、顧客端末からアクセスした顧客が入力する、提供者により発行され顧客が提供者の顧客であることを識別する顧客識別情報は、顧客利用施設を顧客が利用したことを示す識別情報であることを特徴とする、オンデマンド発注システム。
【請求項４】
請求項３に記載の発明において、
提供者により発行され顧客が提供者の顧客であることを識別する顧客識別情報は、顧客と、当該顧客が顧客利用施設を利用した月日、日時、場所のいずれかを少なくとも識別する数字、文字、記号、符号、バーコードその他の識別情報のいずれかであることを特徴とする、オンデマンド発注システム。
【請求項５】
請求項１〜４のいずれかに記載の発明において、
提供者により発行され顧客が提供者の顧客であることを識別する顧客識別情報は、オリジナルブランド提供者が備える提供者端末から、ネットワークを介して提供者情報記憶手段に登録可能にされていることを特徴とする、オンデマンド発注システム。
【請求項６】
請求項１〜５のいずれかに記載の発明において、
提供者により発行され顧客が提供者の顧客であることを識別する顧客識別情報は、提供者情報記憶手段に登録可能にされており、顧客端末からネットワークを介してアクセスした顧客または顧客とともに顧客利用施設を利用した利用者が、顧客識別情報と印刷物発注情報または情報収録媒体発注情報とを入力し送信する際に、顧客の認証処理を行う顧客認証手段が備えられたことを特徴とする、オンデマンド発注システム。
【請求項７】
請求項１〜６のいずれかに記載の発明において、
提供者情報記憶手段にあらかじめ記憶されており、提供者により発行され顧客が提供者の顧客であることを識別する顧客識別情報に関連付けられて、顧客の利用日、利用場所、利用人数、利用目的、オンデマンド発注可能数量、オンデマンド発注可能回数のいずれかが少なくとも記憶されていることを特徴とする、オンデマンド発注システム。
【請求項８】
請求項１〜７のいずれかに記載の発明において、
必要な所定のデータ項目を含む印刷物発注情報または情報収録媒体発注情報には、
印刷物または情報収録媒体の数量、仕様、発送先、納期の内の少なくともいずれかが含まれることを特徴とする、オンデマンド発注システム。
【請求項９】
請求項８に記載の発明において、
印刷物発注情報または情報収録媒体発注情報に含まれる、印刷物または情報収録媒体の数量は、提供者情報記憶手段にあらかじめ記憶されている利用人数またはオンデマンド発注可能数量に基づき算出されて入力が行われるものであることを特徴とする、オンデマンド発注システム。
【請求項１０】
請求項１〜９のいずれかに記載の発明において、
提供者コンテンツ記憶手段に記憶されている提供者コンテンツには、提供者が提供する、印刷物の印刷レイアウトテンプレート、または情報収録媒体に印刷または収録される内容物のレイアウトテンプレートが含まれることを特徴とする、オンデマンド発注システム。
【請求項１１】
請求項１〜１０のいずれかに記載の発明において、
提供者コンテンツ記憶手段に記憶されている提供者コンテンツには、提供者が提供する、提供者名、ロゴマーク、デザインパーツ、顧客の利用日の記載、利用場所、利用目的に合致したメッセージ、テキストパーツのいずれかが少なくとも含まれることを特徴とする、オンデマンド発注システム。
【請求項１２】
請求項１〜１１のいずれかに記載の発明において、
オリジナルコンテンツ記憶手段に記憶され、顧客ごとのオリジナルな内容として印刷物内に挿入されるオリジナルコンテンツは、写真を含む画像データ、テキストデータ、動画像データのいずれかが少なくとも含まれることを特徴とする、オンデマンド発注システム。
【請求項１３】
請求項１２に記載の発明において、
オリジナルコンテンツ記憶手段に記憶されるオリジナルコンテンツは、顧客または顧客とともに顧客利用施設を利用した利用者が備える顧客端末からネットワークを介してアクセスし、顧客情報記憶手段にアップロード可能にされたことを特徴とする、オンデマンド発注システム。
【請求項１４】
請求項１３に記載の発明において、
レイアウト編集記憶手段は、提供者コンテンツ記憶手段に記憶された提供者コンテンツと、オリジナルコンテンツ記憶手段に記憶されたオリジナルコンテンツとを利用して、顧客または顧客とともに顧客利用施設を利用した利用者が備える顧客端末からネットワークを介してアクセスし、編集可能にされたことを特徴とする、オンデマンド発注システム。
【請求項１５】
請求項１〜１４のいずれかに記載の発明において、
提供者情報記憶手段には、当該提供者の顧客が印刷物発注情報または情報収録媒体発注情報に基づき発注した発注情報に基づき、提供者に対し課金される課金情報が記憶されることを特徴とする、オンデマンド発注システム。
【請求項１６】
請求項１〜１５のいずれかに記載の発明において、
顧客情報記憶手段には、当該顧客が印刷物発注情報または情報収録媒体発注情報に基づき発注した発注情報に基づき、顧客に対し課金される課金情報が記憶されることを特徴とする、オンデマンド発注システム。
【発明の詳細な説明】
【技術分野】
【０００１】
本発明は、オンデマンド発注システムに関する。
【背景技術】
【０００２】
近年、各種の商品についての顧客の好みが嗜好が多様化し、顧客オリジナルの商品や、多品種少量生産、さらには受注生産が行われることも多くなっている。出版物や印刷物においても、たとえば廃刊となった書籍のオンデマンド受注印刷・製本が行われたり、あるいは年賀状やアルバムなどをインターネットを介してオリジナルデザインにして発注するような形態などが行われている。
特に、印刷物のデジタル化により少量受注が可能になったり、インターネットの普及によるデータ送受信が活発になっているという背景もある。
【０００３】
【特許文献１】特開２００２−２１５９１３号公報
【０００４】
たとえば特開２００２−２１５９１３「オンデマンドによる書籍購入方法」においては、インターネットを介して書籍の内容を少なくとも半分以上開示し、書籍の購入の動機付けを促進する書籍購入方法が提案されている。
書籍の内容の一部（場合によっては全部）が開示され、読者は書籍の購入ををインターネット上で行い、住所・氏名・決済方法を入力し、その情報は書籍の印刷製本業者に送られて書籍の印刷製本が開始され、完成した書籍は郵送・宅配便などで購入者へ送られるというものである。
【０００５】
【特許文献２】特開２００１−０７８１２９号公報
【０００６】
また特開２００１−０７８１２９「フォトネットによるプリント商品サービス方法及び電子媒体」においては、電子アルバム機能、画像サーバー接続機能及び決済機能を備え、商品アイテム情報を内臓した電子媒体を準備して、前記電子媒体を介してデジタル画像を画像サーバーにアップロードし、そして前記顧客の注文に応じて前記デジタル画像を所定の商品アイテムにプリントし、プリントされた商品を顧客に配送する方法が開示されている。
上記出願は、インターネットを利用して、電子アルバムを設け、画像をアップロードし、顧客の注文に応じてデジタル画像を商品アイテムにプリントし発送するものであり、オリジナルアルバムを制作しているような内容をインターネットの画像アップロードにより実現するものである。
【０００７】
【特許文献３】特開２００３−２８９４１５号公報
【０００８】
また特開２００３−２８９４１５「画像処理装置、ウェブサーバ、画像処理システム、画像処理方法、コンピュータプログラム及びコンピュータ読み取り可能な記録媒体」においては、ユーザの撮影時の意思をネットワーク上のアルバム上でも十分に表現できるようにするためのシステムが提案されている。
上記出願は、画像をインターネットを介してアップロードし、ネットワーク上のアルバムを設けるとともに、印刷注文を行うことができるものであり、従来より写真ショップがオリジナルアルバムを制作しているような内容をインターネットの画像アップロードにより実現するものである。
【発明の開示】
【発明が解決しようとする課題】
【０００９】
ところで、上記の各技術はいずれも、オリジナルアルバムや書籍等を発注する顧客と、顧客からの受注を受け印刷、製本等を行う受注者との二者により受発注を行うものであって、オリジナル、オンデマンドという発注形態を除けば、通常の商取引である。
オリジナルアルバムを例にとれば、顧客はレジャー施設、スポーツ観戦や施設利用、結婚式、テーマパークなどで写真をとるなどして、自分でデジタルコンテンツを用意し、それをアップロードするなどして発注をするものであり、デジタルコンテンツをすべて自分で用意するものである。
【００１０】
一方、コンテンツの一部、たとえば年賀状のデザインなどをあらかじめ用意しておいて、それに顧客が撮影した写真などをアップロードするなどして組み合わせてデザインし、印刷発注が可能なシステムも実現されている。
このような場合にも、オリジナル印刷等を発注する顧客と、顧客からの受注を受け印刷等を行う受注者との二者により受発注を行うものであって、オリジナル、オンデマンドという発注形態を除けば、通常の商取引である。
また、あらかじめ印刷物のデザインやイラスト等が用意されていた場合においても、印刷や製本等を受注する事業者側が創作したデザインやイラスト等か、あるいは印刷や製本等を受注する事業者側がライセンス提供を受けたデザインやイラスト等の中から選択するものである。著作権が発生するキャラクターなどの使用はライセンス提供を受けた者に限られ、また人気キャラクター等はライセンスを受けることが困難である。
さらに、キャラクターＡのテーマパークで撮影した写真を利用したアルバムに、あらかじめ印刷事業者側で用意したキャラクターＢのデザインを挿入することには意味がない。
【００１１】
そこで本発明においては、上記の様々な課題を解決し、顧客、印刷事業者の二者だけではなく、たとえば結婚式場、スポーツ施設、アミューズメント施設等と、顧客と、印刷事業者等とを含めた三者からなるシステムを提供することを目的とする。
一例をあげれば、顧客がテーマパークから帰宅した後に、テーマパークオリジナルの台紙と日付の入ったフォトアルバムを発注することができるならば、顧客の記念にもなるばかりではなく、テーマパーク側でも集客に結びつけることができる。
あるいは、結婚式主催者側が、来場者用に作成するフォトアルバムを、披露宴を終えたユーザーに対し、友人等に撮影してもらったデジタル画像などによりブライダルオリジナルの表紙と、日付と、会場名やマークなどの入ったフォトアルバムを発注することができるならば、来場者や自分たちの記念にもなるばかりではなく、式場側でも集客に結びつけることができる。
このような場合においては、発注者、あるいはオリジナルコンテンツをアップロードするユーザーを、顧客本人とすることのほか、友人などの本人以外の参加者とすることができるようにすれば利用方法も広がる。また、友人などの複数人の間で共同で編集作業を行ったり、複数人から写真などのオリジナルコンテンツをアップロードしたりということも可能になり、１つの発注で行うことができる。
あるいは、スポーツ施設、たとえばゴルフスクールにおいて、所定期間ごとにスイングの連続写真などを定期的に撮影し、撮影した写真を、オリジナルの表紙と、日付と、施設名やマークなどの入ったフォトアルバムを発注することができるならば、記録や記念にもなるばかりではなく、施設側でも集客に結びつけることができる。
あるいは、スポーツ選手の引退などに際し、引退試合のような記念イベントなどが行われる場合や、スポーツの優勝決定戦、歌手のコンサートなどのような場合において、メモリアルのフォトアルバムを参加者が発注するようなこともでき、主催者側にとっても参加者側にとっても記念にもなるばかりではなく、施設側でも集客や収益に結びつけることができる。また、収益の一部または全部を主催者または参加者からの寄付にあてるといったことができれば、イメージアップにもつながる。
【００１２】
ところで、こうした場合には、テーマパークや式場、施設などがシステム構築を行うことは費用や手間の面でも困難である。
一方、テーマパークや式場、施設などが印刷事業者等に発注をする場合には、顧客に代わり発注を行うだけであり、オリジナル印刷等を発注するテーマパークや式場、施設等と、これら発注者からの受注を受け印刷等を行う受注者との二者により受発注を行うものであって、オリジナル、オンデマンドという発注形態を除けば、通常の商取引である。またこうした場合には、顧客が撮影した写真などのオリジナルコンテンツを、顧客からテーマパークや式場、施設などに対し受け渡しをしなければならないという手間がかかる。
【００１３】
さらに、テーマパークや式場、施設などが集客や宣伝、販売促進として行う場合には費用負担をすることが想定される。一方、顧客が費用負担をする場合には、単にテーマパークや式場、施設などが提供する有料サービスを、印刷事業者などに外注するということにすぎない。
しかしながら、顧客、印刷事業者の二者だけではなく、たとえば結婚式場、スポーツ施設、アミューズメント施設等と、顧客と、印刷事業者等とを含めた三者からなるシステムを構成すれば、ある一定部分までをテーマパークや式場、施設などが費用負担し、数量の増加や仕様のオプションなどを顧客が自由に行って、オプション部分については顧客が費用負担する等の、様々な発注・課金方法を１つの発注で行うことができる。したがって、費用負担についても、テーマパークや式場、施設等と、顧客との間で見積、相談、交渉等をする時間や手間を省くことができる。また、収益の一部または全部を主催者または参加者からの寄付にあてるといったような費用の負担方法を加えることもできる。
【課題を解決するための手段】
【００１４】
上記課題を解決するため、請求項１に記載の発明においては、
オリジナルブランドの印刷物を、提供者が提供者の顧客に対しオンデマンド発注により提供するためにサーバーに設けられるオリジナルブランド印刷物のオンデマンド発注システムであって、
オリジナルブランド提供者を識別する提供者識別情報を含む提供者情報を記憶する提供者情報記憶手段と、
顧客端末からネットワークを介してアクセスした顧客が入力した、提供者により発行され顧客が提供者の顧客であることを識別する顧客識別情報と、オリジナルブランド提供者が提供する印刷物をオンデマンド印刷により発注するために必要な所定のデータ項目を含む印刷物発注情報とを受信する顧客発注情報受信手段と、
顧客に関する情報である顧客情報と印刷物発注情報とを記憶する顧客情報記憶手段と、
オリジナルブランド提供者が提供する印刷物を構成し、提供者ごとのオリジナルブランドを示す内容として印刷物内に挿入される提供者コンテンツを記憶する提供者コンテンツ記憶手段と、
オリジナルブランド提供者が提供する印刷物を構成し、顧客ごとのオリジナルな内容として印刷物内に挿入されるオリジナルコンテンツを記憶するオリジナルコンテンツ記憶手段と、
顧客ごとに記憶された前記の印刷物発注情報に基づき、提供者ごとの提供者コンテンツと、顧客ごとのオリジナルコンテンツを印刷物レイアウト内に配置して、出力可能なレイアウトデータに編集し記憶するレイアウト編集記憶手段と、
編集され記憶されたレイアウトデータを印刷可能なデータとして出力する出力手段とを含み構成された、オンデマンド発注システムであることを特徴としている。
【００１５】
また、上記課題を解決するため、請求項２に記載の発明においては、
オリジナルブランドの情報収録媒体を、提供者が提供者の顧客に対しオンデマンド発注により提供するためにサーバーに設けられるオリジナルブランド情報収録媒体のオンデマンド発注システムであって、
オリジナルブランド提供者を識別する提供者識別情報を含む提供者情報を記憶する提供者情報記憶手段と、
顧客端末からネットワークを介してアクセスした顧客が入力した、提供者により発行され顧客が提供者の顧客であることを識別する顧客識別情報と、オリジナルブランド提供者が提供する情報収録媒体をオンデマンド発注するために必要な所定のデータ項目を含む情報収録媒体発注情報とを受信する顧客発注情報受信手段と、
顧客に関する情報である顧客情報と情報収録媒体発注情報とを記憶する顧客情報記憶手段と、
オリジナルブランド提供者が提供する情報収録媒体に印刷または収録される内容物を構成し、提供者ごとのオリジナルブランドを示す内容として情報収録媒体の内容物内に挿入される提供者コンテンツを記憶する提供者コンテンツ記憶手段と、
オリジナルブランド提供者が提供する情報収録媒体に印刷または収録される内容物を構成し、顧客ごとのオリジナルな内容として情報収録媒体の内容物内に挿入されるオリジナルコンテンツを記憶するオリジナルコンテンツ記憶手段と、
顧客ごとに記憶された前記の情報収録媒体発注情報に基づき、提供者ごとの提供者コンテンツと、顧客ごとのオリジナルコンテンツを情報収録媒体の内容物のレイアウト内に配置して、出力可能なレイアウトデータに編集し記憶するレイアウト編集記憶手段と、
編集され記憶されたレイアウトデータを情報収録媒体に印刷または収録可能なデータとして出力する出力手段とを含み構成された、オンデマンド発注システムであることを特徴としている。
【００１６】
また、上記課題を解決するため、請求項３に記載の発明においては、
請求項１または２のいずれかに記載の発明において、
オリジナルブランド提供者は、遊戯施設・娯楽施設・文化施設・スポーツ施設・宿泊施設・交通機関・観光施設・冠婚施設を含む、顧客が利用する顧客利用施設であって、顧客端末からアクセスした顧客が入力する、提供者により発行され顧客が提供者の顧客であることを識別する顧客識別情報は、顧客利用施設を顧客が利用したことを示す識別情報である、オンデマンド発注システムであることを特徴としている。
【００１７】
また、上記課題を解決するため、請求項４に記載の発明においては、
請求項３に記載の発明において、
提供者により発行され顧客が提供者の顧客であることを識別する顧客識別情報は、顧客と、当該顧客が顧客利用施設を利用した月日、日時、場所のいずれかを少なくとも識別する数字、文字、記号、符号、バーコードその他の識別情報のいずれかである、オンデマンド発注システムであることを特徴としている。
【００１８】
また、上記課題を解決するため、請求項５に記載の発明においては、
請求項１〜４のいずれかに記載の発明において、
提供者により発行され顧客が提供者の顧客であることを識別する顧客識別情報は、オリジナルブランド提供者が備える提供者端末から、ネットワークを介して提供者情報記憶手段に登録可能にされている、オンデマンド発注システムであることを特徴としている。
【００１９】
また、上記課題を解決するため、請求項６に記載の発明においては、
請求項１〜５のいずれかに記載の発明において、
提供者により発行され顧客が提供者の顧客であることを識別する顧客識別情報は、提供者情報記憶手段に登録可能にされており、顧客端末からネットワークを介してアクセスした顧客または顧客とともに顧客利用施設を利用した利用者が、顧客識別情報と印刷物発注情報または情報収録媒体発注情報とを入力し送信する際に、顧客の認証処理を行う顧客認証手段が備えられた、オンデマンド発注システムであることを特徴としている。
【００２０】
また、上記課題を解決するため、請求項７に記載の発明においては、
請求項１〜６のいずれかに記載の発明において、
提供者情報記憶手段にあらかじめ記憶されており、提供者により発行され顧客が提供者の顧客であることを識別する顧客識別情報に関連付けられて、顧客の利用日、利用場所、利用人数、利用目的、オンデマンド発注可能数量、オンデマンド発注可能回数のいずれかが少なくとも記憶されている、オンデマンド発注システムであることを特徴としている。
【００２１】
また、上記課題を解決するため、請求項８に記載の発明においては、
請求項１〜７のいずれかに記載の発明において、
必要な所定のデータ項目を含む印刷物発注情報または情報収録媒体発注情報には、
印刷物または情報収録媒体の数量、仕様、発送先、納期の内の少なくともいずれかが含まれる、オンデマンド発注システムであることを特徴としている。
【００２２】
また、上記課題を解決するため、請求項９に記載の発明においては、
請求項８に記載の発明において、
印刷物発注情報または情報収録媒体発注情報に含まれる、印刷物または情報収録媒体の数量は、提供者情報記憶手段にあらかじめ記憶されている利用人数またはオンデマンド発注可能数量に基づき算出されて入力が行われるものである、オンデマンド発注システムであることを特徴としている。
【００２３】
また、上記課題を解決するため、請求項１０に記載の発明においては、
請求項１〜９のいずれかに記載の発明において、
提供者コンテンツ記憶手段に記憶されている提供者コンテンツには、提供者が提供する、印刷物の印刷レイアウトテンプレート、または情報収録媒体に印刷または収録される内容物のレイアウトテンプレートが含まれる、オンデマンド発注システムであることを特徴としている。
【００２４】
また、上記課題を解決するため、請求項１１に記載の発明においては、
請求項１〜１０のいずれかに記載の発明において、
提供者コンテンツ記憶手段に記憶されている提供者コンテンツには、提供者が提供する、提供者名、ロゴマーク、デザインパーツ、顧客の利用日の記載、利用場所、利用目的に合致したメッセージ、テキストパーツのいずれかが少なくとも含まれる、オンデマンド発注システムであることを特徴としている。
【００２５】
また、上記課題を解決するため、請求項１２に記載の発明においては、
請求項１〜１１のいずれかに記載の発明において、
オリジナルコンテンツ記憶手段に記憶され、顧客ごとのオリジナルな内容として印刷物内に挿入されるオリジナルコンテンツは、写真を含む画像データ、テキストデータ、動画像データのいずれかが少なくとも含まれる、オンデマンド発注システムであることを特徴としている。
【００２６】
また、上記課題を解決するため、請求項１３に記載の発明においては、
請求項１２に記載の発明において、
オリジナルコンテンツ記憶手段に記憶されるオリジナルコンテンツは、顧客または顧客とともに顧客利用施設を利用した利用者が備える顧客端末からネットワークを介してアクセスし、顧客情報記憶手段にアップロード可能にされた、オンデマンド発注システムであることを特徴としている。
【００２７】
また、上記課題を解決するため、請求項１４に記載の発明においては、
請求項１３に記載の発明において、
レイアウト編集記憶手段は、提供者コンテンツ記憶手段に記憶された提供者コンテンツと、オリジナルコンテンツ記憶手段に記憶されたオリジナルコンテンツとを利用して、顧客または顧客とともに顧客利用施設を利用した利用者が備える顧客端末からネットワークを介してアクセスし、編集可能にされた、オンデマンド発注システムであることを特徴としている。
【００２８】
また、上記課題を解決するため、請求項１５に記載の発明においては、
請求項１〜１４のいずれかに記載の発明において、
提供者情報記憶手段には、当該提供者の顧客が印刷物発注情報または情報収録媒体発注情報に基づき発注した発注情報に基づき、提供者に対し課金される課金情報が記憶される、オンデマンド発注システムであることを特徴としている。
【００２９】
また、上記課題を解決するため、請求項１６に記載の発明においては、
請求項１〜１５のいずれかに記載の発明において、
顧客情報記憶手段には、当該顧客が印刷物発注情報または情報収録媒体発注情報に基づき発注した発注情報に基づき、顧客に対し課金される課金情報が記憶されることを特徴とする、オンデマンド発注システム。
【発明の効果】
【００３０】
本発明によれば、顧客、印刷事業者の二者だけではなく、たとえば結婚式場、スポーツ施設、アミューズメント施設等のサービス等を提供する提供者（「提供者」という）と、顧客と、印刷事業者等とを含めた三者からなるシステムを提供することにより、下記のような効果を奏する。
顧客が提供者の施設を利用した後に、提供者オリジナルの印刷物を発注することができ、顧客の記念にもなるばかりではなく、提供者側でも集客に結びつけることができる。
あるいは、友人等に撮影してもらったデジタル画像などによりオリジナル印刷物を発注することができ、発注者、あるいはオリジナルコンテンツをアップロードするユーザーを、顧客本人とすることのほか、友人などの本人以外の参加者とすることができるようにすれば利用方法も広がる。また、友人などの複数人の間で共同で編集作業を行ったり、複数人から写真などのオリジナルコンテンツをアップロードしたりということも可能になり、１つの発注で行うことができる。
さらに、顧客が撮影した写真などのオリジナルコンテンツを受け渡す手間を軽減することができる。
さらに提供者が集客や宣伝、販売促進として行う場合には費用負担をすることもでき、一方、顧客が費用負担をすることもでき、オプション部分については顧客が費用負担する等の様々な発注・課金方法を１つの発注で行うことができるため、費用負担についても、提供者と顧客との間で見積、相談、交渉等をする時間や手間を省くことができる。
さらに、印刷物以外のデジタルコンテンツ、たとえばデジタルコンテンツを収録したＣＤ−ＲＯＭその他のオリジナル情報収録媒体の発注においても、同様の利用形態をとることが可能になる。
【発明を実施するための最良の形態】
【００３１】
以下、本発明の実施の形態について図面を参照して説明する。
図１は、本発明のシステムの基本的な構成の一例を示すシステム構成図である。
図１において、点線で囲まれた部分が、本発明のシステムが設けられるサーバーである。
本発明のシステムは、下記の第一および第二の２つの実施形態を採用することができる。
【００３２】
（第一の実施形態）
本発明のシステムは、第一の実施形態によれば、オリジナルブランドの印刷物を、提供者が提供者の顧客に対しオンデマンド発注により提供するためにサーバーに設けられるオリジナルブランド印刷物のオンデマンド発注システムである。
本発明の特許請求の範囲、明細書および図面において、オリジナルブランドとは特に内容には限定されないが、オリジナルブランドの商品またはサービスを提供する提供者が顧客から識別されるための文字、図形、記号、数字、またはこれらの組合せを示すものをいう。オリジナルブランド提供者が提供する商品またはサービスについて、これを利用した顧客に対し、これを利用した顧客であることを条件に、本発明のシステムを利用してオリジナルブランドの付与された印刷物等を提供するものである。
オリジナルブランド提供者は、代表的なものとしては、遊園地やテーマパークなどの遊戯施設、ゲーム施設や競馬場、映画館などの娯楽施設、博物館や劇場などの文化施設、ゴルフ場やゴルフ練習場、スポーツクラブなどのスポーツ施設、ホテルなどの宿泊施設、交通機関、観光施設、結婚式場などの冠婚施設などのような、顧客が利用する顧客利用施設である。
印刷物は、写真集やアルバム、絵本、絵葉書、カレンダー、ポスター、その他の各種印刷物を含む。
【００３３】
（第二の実施形態）
本発明のシステムは、第二の実施形態によれば、オリジナルブランドの情報収録媒体を、提供者が提供者の顧客に対しオンデマンド発注により提供するためにサーバーに設けられるオリジナルブランド情報収録媒体のオンデマンド発注システムである。
情報記録媒体は、ＣＤ−ＲＯＭ、ＤＶＤなどの情報記録媒体や、ウェブ上で閲覧可能な状態またはダウンロード可能な状態に記憶するためのサーバー装置の記憶装置などである。
【００３４】
本発明のシステムは、オリジナルブランド提供者を識別する提供者識別情報を含む提供者情報を記憶する提供者情報記憶手段を備えている。
図２は、提供者情報記憶手段に記憶される提供者情報の一例を示すデータ模式図である。
図２の一例においては、提供者ＩＤ、提供者名、住所・電話番号などの連絡先、担当者名、後述する提供者コンテンツを記憶する場所、提供者コンテンツ記憶手段などのサーバー装置にログインするためのユーザーＩＤやパスワードなどが記憶されている例が示されている。この他にも、提供者に対し本発明のシステムを利用する対価として課金される金額や、支払方法などの課金情報を記憶することもできる。この場合には、提供者情報記憶手段には、当該提供者の顧客が印刷物発注情報または情報収録媒体発注情報に基づき発注した発注情報に基づき、提供者に対し課金される課金情報が記憶される。
【００３５】
オリジナルブランド提供者は、遊戯施設・娯楽施設・文化施設・スポーツ施設・宿泊施設・交通機関・観光施設・冠婚施設を含む、顧客が利用する顧客利用施設であって、顧客端末からアクセスした顧客が入力する、提供者により発行され顧客が提供者の顧客であることを識別する顧客識別情報は、顧客利用施設を顧客が利用したことを示す識別情報である。
【００３６】
顧客識別情報は、提供者により発行され顧客が提供者の顧客であることを識別するデータであるが、顧客識別情報の形態には下記の２通りが想定される。
第一には、顧客識別情報が、提供者の顧客であることを識別するために個々の顧客ごとに付与される形態である。たとえば、顧客１人１人に割り振られる顧客番号、入場券番号、切符番号、あるいは顧客であるグループ１つごと、あるいは利用１件ごとに対し割り振られるグループ番号、予約番号、日時＆部屋番号などである。これらの場合には、顧客識別情報により、提供者のサービスを利用等した特定の顧客を一意に識別することができ、さらに顧客が利用した月日、日時、場所等のいずれかを識別するようにすることもできる。
図３は、この場合の顧客識別情報の一例を示すデータ模式図である。
【００３７】
第二には、顧客識別情報が、個々の顧客に対応して割り振られるのではなく、提供者のサービスを利用等した特定の顧客を一意に識別することはできないものの、少なくとも顧客が提供者のサービスを利用等したことを識別できるように顧客に対し付与される形態である。たとえば、特定の月日に特定の場所で利用したことを示すランダムな数字や文字・記号等の組合せや、あるいはこれらとランダムに生成されたパスワードの組合せ、あるいは利用したサービスを識別する数字や文字・記号等の組合せと利用日時を示す数字や文字、記号等の組合せなどを組み合わせた識別情報などである。顧客一人一人に割り振ることはなくても、複数の数字や文字・記号等を組合せて一見すれば意味のないような識別情報になっていても、偶然同じ識別符合を考案することは暗号のように困難であれば、少なくとも顧客が提供者のサービスを利用等したことを識別することができる。
図４は、この場合の顧客識別情報の一例を示すデータ模式図である。
提供者により発行され顧客が提供者の顧客であることを識別する顧客識別情報の好ましい一例は、顧客と、当該顧客が顧客利用施設を利用した月日、日時、場所のいずれかを少なくとも識別する数字、文字、記号、符号、バーコードその他の識別情報のいずれかである。
【００３８】
顧客識別情報は、本発明のシステムのサーバーにおいて、提供者記憶手段に入力され記憶される。記憶方法としては、サーバーの管理者端末から入力する方法や、ＣＤ−ＲＯＭその他の情報記憶媒体から読み込んで記憶する方法や、オンラインでデータを受信して記憶する方法などを採用することができる。
好ましい形態の一例によれば、提供者により発行され顧客が提供者の顧客であることを識別する顧客識別情報は、オリジナルブランド提供者が備える提供者端末から、ネットワークを介して提供者情報記憶手段に登録可能にされている。提供者端末は、前記の遊戯施設・娯楽施設・文化施設・スポーツ施設・宿泊施設・交通機関・観光施設・冠婚施設などのような顧客利用施設に備えられ、インターネットやＬＡＮに代表されるネットワークを介してサーバーにアクセスするためのコンピュータ装置のほか、顧客利用施設に備えられ、インターネットやＬＡＮに代表されるネットワークを介してサーバーにデータを伝送可能な発券装置端末、金銭管理端末、入場管理端末のように、コンピュータ機能が組み込まれ、顧客識別番号をインターネットやＬＡＮに代表されるネットワークを介してサーバーに伝送可能な装置であればよい。
【００３９】
また、顧客識別情報が、提供者の顧客であることを識別するために個々の顧客ごとに付与される形態においては、提供者情報記憶手段にあらかじめ記憶されており、提供者により発行され顧客が提供者の顧客であることを識別する顧客識別情報に関連付けられて、顧客の利用日、利用場所、利用人数、利用目的、オンデマンド発注可能数量、オンデマンド発注可能回数のいずれかが少なくとも記憶されていることが望ましい。
図５および図６は、この場合において、提供者情報記憶手段に記憶される顧客識別情報の一例を示すデータ模式図である。
図５の例においては、顧客の利用人数と、利用人数に対応した発注可能数量があらかじめ定められて記憶されている。
また、図６の例においては、顧客の利用金額と、利用金額に応じた発注可能数量と、発注可能回数とがあらかじめ定められて記憶されている。この例において、利用人数より発注可能数量が少ない場合には、顧客が費用を負担することにより発注可能数量よりも多い数量をオプションで発注可能にされているようにしてもよい。また発注可能回数よりも多い回数をオプションで発注可能にされているようにしてもよい。
【００４０】
なお、本発明の特許請求の範囲、明細書および図面において、顧客識別情報は提供者情報記憶手段に記憶され、提供者ごとの顧客として顧客情報が記憶されている。
しかしデータベースは関係データベースや、ＸＭＬなどのタグ情報を利用したデータベース、その他の知られている各種のデータベースの構成を採用することができるので、たとえば、特に顧客識別情報が、提供者の顧客であることを識別するために個々の顧客ごとに付与される形態においては、顧客情報の一部または全部は、後述する顧客情報記憶手段に記憶されていてもよい。
一方、本発明の特許請求の範囲、明細書および図面において、後述する印刷物発注情報または情報収録媒体発注情報は、顧客情報記憶手段に記憶され、個々の顧客ごとの発注情報として発注情報が記憶されている。しかし同様に、印刷物発注情報または情報収録媒体発注情報の一部または全部は、提供者ごとの顧客の発注情報として提供者情報記憶手段に記憶されていてもよい。
【００４１】
次に、本発明のシステムによれば、オリジナルブランド提供者が提供する商品またはサービスを利用した顧客は、顧客のコンピュータ装置などの顧客端末から、インターネットに代表されるネットワークを介してサーバーにアクセスし、ログインして、利用した顧客であることを条件に本発明のシステムを利用してオリジナルブランドの付与された印刷物等の発注を行う。
好ましくは、サーバーは、顧客端末からネットワークを介してアクセスした顧客または顧客とともに顧客利用施設を利用した利用者が、顧客識別情報と印刷物発注情報または情報収録媒体発注情報とを入力し送信する際に、顧客の認証処理を行う顧客認証手段が備えられている。
顧客がインターネットを介してウェブサイト上でログインし、認証を受ける場合には、顧客認証手段はウェブサイトにおいて入力される顧客識別情報などを入力することによりログインの可否を判定するウェブアプリケーションプログラムである。
【００４２】
顧客は、本発明のシステムのサーバーが備えるウェブサーバーにアクセスし、ログイン画面を呼び出すなどして、所定の入力項目（入力フォーム等）に、顧客識別番号と、必要に応じ利用日時、利用施設名、その他の情報を入力し、認証を受ける。
次いで、オリジナル印刷物の発注情報や、オリジナル情報収録媒体の発注情報の入力操作、さらにオリジナルコンテンツとして顧客または当該顧客とともに利用した利用者が写真その他のデジタルコンテンツをアップロードする等の操作を顧客端末（当該顧客とともに利用した利用者の端末を含む）において行う。
【００４３】
次に本発明のシステムは、第一の実施形態において印刷物を発注する場合には、顧客端末からネットワークを介してアクセスした顧客が入力した、提供者により発行され顧客が提供者の顧客であることを識別する顧客識別情報と、オリジナルブランド提供者が提供する印刷物をオンデマンド印刷により発注するために必要な所定のデータ項目を含む印刷物発注情報とを受信する顧客発注情報受信手段を備えている。
また、第二の実施形態において情報収録媒体を発注する場合には、顧客端末からネットワークを介してアクセスした顧客が入力した、提供者により発行され顧客が提供者の顧客であることを識別する顧客識別情報と、オリジナルブランド提供者が提供する情報収録媒体をオンデマンド発注するために必要な所定のデータ項目を含む情報収録媒体発注情報とを受信する顧客発注情報受信手段を備えている。
【００４４】
必要な所定のデータ項目を含む印刷物発注情報または情報収録媒体発注情報には、印刷物または情報収録媒体の数量、仕様、発送先、納期の内の少なくともいずれかが含まれる。
また、好ましい一例としては、印刷物発注情報または情報収録媒体発注情報に含まれる、印刷物または情報収録媒体の数量は、提供者情報記憶手段にあらかじめ記憶されている利用人数またはオンデマンド発注可能数量に基づき算出されて入力が行われる。オリジナル印刷物の発注情報や、オリジナル情報収録媒体の発注情報の入力操作等を顧客端末（当該顧客とともに利用した利用者の端末を含む）において行う際に、前記の図５や図６に示すようなデータを参照することにより、入力が行われ、自動的に入力されるようにしてもよい。ここで、顧客が提供者情報記憶手段にあらかじめ記憶されている利用人数またはオンデマンド発注可能数量より多い数量を発注する場合には有料課金とし、利用人数またはオンデマンド発注可能数以下の数量を発注する場合には顧客は費用負担をしないといった形態をとることもでき、課金方法は各種の方法を採用することができる。
この場合には、顧客情報記憶手段には、当該顧客が印刷物発注情報または情報収録媒体発注情報に基づき発注した発注情報に基づき、顧客に対し課金される課金情報が記憶される。
【００４５】
次に本発明のシステムは、顧客に関する情報である顧客情報と、印刷物発注情報情報または収録媒体発注情報とを記憶する顧客情報記憶手段を備えている。
図７は、顧客情報記憶手段に記憶される顧客情報と、印刷物発注情報情報または収録媒体発注情報との一例を示すデータ模式図である。
図７においては、顧客識別情報とは別個に、オリジナルコンテンツをアップロード等するためにサーバーにログインするためのユーザーＩＤおよびパスワードを発行し記憶した例を示している。顧客識別情報が、提供者の顧客であることを識別するために個々の顧客ごとに付与される形態である場合には、ユーザーＩＤ等には顧客識別情報をそのまま用いてもよい。また、顧客とともに利用した利用者がオリジナルコンテンツをアップロード等するためにサーバーにログインするための、顧客本人と同一のユーザーＩＤおよびパスワード、あるいは顧客本人とは別のユーザーＩＤおよびパスワード等の認証用データを発行するようにしてもよい。
【００４６】
次に本発明のシステムは、オリジナルブランド提供者が提供する印刷物を構成し、提供者ごとのオリジナルブランドを示す内容として印刷物内に挿入される提供者コンテンツを記憶する提供者コンテンツ記憶手段を備えている。
オリジナルブランド提供者が提供する情報収録媒体に印刷または収録される内容物を構成し、提供者ごとのオリジナルブランドを示す内容として情報収録媒体の内容物内に挿入される提供者コンテンツを記憶する提供者コンテンツ記憶手段を備えている。
提供者コンテンツ記憶手段に記憶されている提供者コンテンツには、提供者が提供する、提供者名、ロゴマーク、デザインパーツ、顧客の利用日の記載、利用場所、利用目的に合致したメッセージ、テキストパーツのいずれかが少なくとも含まれる。オリジナルブランドの商品またはサービスを提供する提供者が顧客から識別されるための文字、図形、記号、数字、またはこれらの組合せ等の提供者名や、ロゴマークなどであり、たとえばテーマパークの名称ロゴや、キャラクターのロゴなどである。またスポーツ施設の施設名称と利用日時などである。また利用目的に合致したメッセージとして、結婚式の祝辞に関連するメッセージ、新年会に関連するメッセージなどであち、さらにテキストパーツとして観光地の説明や、利用したサービス内容である旅行日程の説明、利用したサービス内容である映画やアトラクション上映の説明などが一例である。
【００４７】
さらに、好ましくは、提供者コンテンツ記憶手段に記憶されている提供者コンテンツには、提供者が提供する、印刷物の印刷レイアウトテンプレート、または情報収録媒体に印刷または収録される内容物のレイアウトテンプレートが含まれる。たとえば、オリジナルブランドの付与された印刷物等を提供するために、写真集やアルバム、絵本、絵葉書、カレンダー、ポスター、その他の各種印刷物ごとに、一以上、好ましくは複数のレイアウトのテンプレートを用意しておくことにより、顧客がその中から選択・指定する。レイアウトテンプレートは、印刷物の場合にはＤＴＰ（デスクトップパブリッシング）のレイアウトデータであり、情報収録媒体の場合にはデジタルコンテンツのレイアウトデータであり、顧客がオリジナルコンテンツを入力し編集指定できるテキスト領域や画像・写真領域や、あらかじめ提供者コンテンツが配置される領域などが設定されたデータである。なお、印刷物にはＣＤ−ＲＯＭやＤＶＤなどのラベルやパッケージ等の印刷物を含む。
【００４８】
次に本発明のシステムは、第一の実施形態においては、オリジナルブランド提供者が提供する印刷物を構成し、顧客ごとのオリジナルな内容として印刷物内に挿入されるオリジナルコンテンツを記憶するオリジナルコンテンツ記憶手段を備えている。
また同様に、第二の実施形態においては、オリジナルブランド提供者が提供する情報収録媒体に印刷または収録される内容物を構成し、顧客ごとのオリジナルな内容として情報収録媒体の内容物内に挿入されるオリジナルコンテンツを記憶するオリジナルコンテンツ記憶手段を備えている。
オリジナルコンテンツ記憶手段に記憶され、顧客ごとのオリジナルな内容として印刷物内に挿入されるオリジナルコンテンツは、写真を含む画像データ、テキストデータ、動画像データのいずれかが少なくとも含まれる。
【００４９】
次に本発明のシステムは、第一の実施形態においては、顧客ごとに記憶された前記の印刷物発注情報に基づき、提供者ごとの提供者コンテンツと、顧客ごとのオリジナルコンテンツを印刷物レイアウト内に配置して、出力可能なレイアウトデータに編集し記憶するレイアウト編集記憶手段を備えている。
また同様に第二の実施形態においては、顧客ごとに記憶された前記の情報収録媒体発注情報に基づき、提供者ごとの提供者コンテンツと、顧客ごとのオリジナルコンテンツを情報収録媒体の内容物のレイアウト内に配置して、出力可能なレイアウトデータに編集し記憶するレイアウト編集記憶手段を備えている。
レイアウト編集記憶手段は、提供者コンテンツ記憶手段に記憶された提供者コンテンツと、オリジナルコンテンツ記憶手段に記憶されたオリジナルコンテンツとを利用して、顧客または顧客とともに顧客利用施設を利用した利用者が備える顧客端末からネットワークを介してアクセスし、編集可能にされている。
【００５０】
オリジナルコンテンツ記憶手段に記憶されるオリジナルコンテンツは、顧客または顧客とともに顧客利用施設を利用した利用者が備える顧客端末からネットワークを介してアクセスし、顧客情報記憶手段にアップロード可能にされている。
さらに好ましくは、テキストデータはウェブサイト上で入力し、確認を行うことができ、必要に応じ修正・編集したり、いったん記憶することができ再度呼び出して必要に応じ修正・編集したり、編集後のレイアウトイメージをプレビュー等することが可能であることが好ましい。アップロードした画像等についても、必要に応じ修正・編集したり、色補正をしたり、トリミング等の画像処理をすることができ、いったん記憶することができ再度呼び出して必要に応じ修正・編集したり、編集後のレイアウトイメージをプレビュー等することが可能であることが好ましい。
【００５１】
次に本発明のシステムは、第一の実施形態においては、編集され記憶されたレイアウトデータを印刷可能なデータとして出力する出力手段を備えている。
また第二の実施形態においては、編集され記憶されたレイアウトデータを情報収録媒体に印刷または収録可能なデータとして出力する出力手段を備えている。
出力されるデータは、印刷物の場合にはＤＴＰ（デスクトップパブリッシング）のレイアウトデータであって印刷機器が読み込み可能なデータあるいはデータ変換後に読み込み可能なデータ形式である。出力されるデータは、情報収録媒体の場合には、たとえばＰＤＦ形式、ＨＴＭＬ形式、その他の各種の電子ブック形式やスライドショー形式、動画像形式、ウェブページ形式などの、ＣＤ−ＲＯＭやＤＶＤ、ハードディスク等に出力して記憶可能なデジタルコンテンツである。いずれの場合にも、顧客がオリジナルコンテンツを入力し編集指定したテキスト領域や画像・写真領域、あらかじめ提供者コンテンツが配置される領域などがレイアウトされ編集されたデータである。なお、印刷物にはＣＤ−ＲＯＭやＤＶＤなどのラベルやパッケージ等の印刷物を含む。
出力された印刷物または情報収録媒体は、サーバー管理者側で印刷物または情報収録媒体を制作し、顧客の配送先に発送する。あるいは情報収録媒体の場合には、顧客が完成したデジタルコンテンツをサーバーからダウンロード等するようにしてもよい。
【００５２】
以下、本発明の基本的な処理の流れについて説明する。
図８から図１３は、本発明の基本的な処理の流れの一例を示すフローチャートである。なお、ここに示す処理の流れは一例であって、これに限定されるものではなく、様々な応用や変形が可能である。
初めに図８を参照して、顧客識別番号の発行処理について説明する。
顧客利用施設において、顧客識別番号を発行するが（Ｓ１００）、顧客識別番号としては前述したように、顧客１人１人に割り振られる顧客番号、入場券番号、切符番号、あるいは顧客であるグループ１つごと、あるいは利用１件ごとに対し割り振られるグループ番号、予約番号、日時＆部屋番号などの特定の顧客を一意に識別することができるものや、少なくとも顧客が提供者のサービスを利用等したことを識別できるランダムな数字や文字・記号等の組合せなどである。
顧客識別番号は、まとめてサーバー管理者側で入力をしてもよいが、逐次あるいは適宜、提供者端末からネットワークに接続し（Ｓ１０１）、サーバーにアクセスして（Ｓ１０２）、送信することもできる。この場合には提供者端末において提供者ＩＤ、パスワード等を入力し（Ｓ１０３）、サーバーに送信し、提供者情報記憶手段を参照し認証処理を行う（Ｓ１０４）。
処理メニューを選択し（Ｓ１０５）、顧客識別情報を送信し、提供者情報記憶手段（または顧客情報記憶手段）に記憶する（Ｓ１０６）。
また、処理メニューを選択し（Ｓ１０５）、提供者コンテンツをアップロードし、提供者コンテンツ記憶手段に記憶することもできる（Ｓ１０７）。
【００５３】
次に図９を参照して、顧客端末からのアクセスについて説明する。
顧客端末（顧客または利用者）からネットワークに接続し（Ｓ２００）、サーバーにアクセスする（Ｓ２０１）。
顧客端末において顧客識別番号等を入力し（Ｓ２０２）、サーバーに送信する。サーバーにおいては、提供者情報記憶手段を参照し、顧客識別番号に基づき顧客認証処理を行い（Ｓ２０３）、特定の提供者についての顧客であるか否かを判定する。顧客認証が済むと、必要に応じログイン用のユーザーＩＤ、パスワード等を発行し、顧客情報記憶手段に記憶し（Ｓ２０４）、ログイン用のユーザーＩＤ、パスワード等を顧客端末に送信し通知する（Ｓ２０５）。
これにより顧客または顧客とともに利用した利用者は、各種の処理メニュー選択することができる（Ｓ２０６）。
【００５４】
次に図１０を参照して、オリジナルコンテンツのアップロード処理について説明する。
顧客端末からオリジナルコンテンツ記憶手段にログインし（Ｓ３００）、アップロードするオリジナルコンテンツ（画像データ等）を顧客端末において選択する（Ｓ３０１）。ウェブサイトなどの入力画面においてアップロード処理を指示し、サーバーにデータを送信する（Ｓ３０２）。サーバーにおいてオリジナルコンテンツのデータを受信し、オリジナルコンテンツ記憶手段に記憶する（Ｓ３０３）。
さらにアップロードする場合には（Ｓ３０４）、同様の処理によりアップロードを行う。
編集・補正等をする場合には（Ｓ３０５）、アップロードされオリジナルコンテンツ記憶手段に記憶された画像データなどのデータを読み出して表示させ、サーバーの編集プログラムを起動して色補正・トリミング等の編集・補正処理を行う（Ｓ３０６）。
適宜、他の処理メニュー選択を行うことができる（Ｓ２０６）。
【００５５】
次に図１１を参照して、テキスト入力処理について説明する。
顧客端末からオリジナルコンテンツ記憶手段にログインし（Ｓ４００）、テキスト入力処理を選択し、入力画面を表示させる（Ｓ４０１）。入力フォームなどを用いてテキストを入力し、サーバーにデータを送信する（Ｓ４０２）。サーバーにおいて入力されたデータを受信し、オリジナルコンテンツ記憶手段に記憶する（Ｓ４０３）。
さらに別のテキスト領域や別ページなどに入力する場合には（Ｓ４０４）、同様の処理により入力を行う。
編集・修正等をする場合には（Ｓ４０５）、アップロードされオリジナルコンテンツ記憶手段に記憶された記憶済みデータを読み出して表示させ、サーバーの編集プログラムを起動して編集・修正処理を行う（Ｓ４０６）。
適宜、他の処理メニュー選択を行うことができる（Ｓ２０６）。
【００５６】
次に図１２を参照して、レイアウト編集処理について説明する。
顧客端末からオリジナルコンテンツ記憶手段にログインし（Ｓ５００）、レイアウト編集処理を選択し、レイアウト選択画面を表示させる（Ｓ５０１）。
レイアウトテンプレートの中からレイアウトを選択し、選択・指定したレイアウトを識別するデータ送信し（Ｓ５０２）、サーバーにおいて受信し、オリジナルコンテンツ記憶手段に指定したレイアウトデータを記憶する（Ｓ５０３）。
レイアウトデータ内に、テキスト、画像データ等の配置を指定し、編集済レイアウト記憶手段に記憶する（Ｓ５０４）。
編集・修正等をする場合には（Ｓ５０５）、記憶済みデータを呼び出して編集・修正処理を行う（Ｓ５０６）。レイアウトテンプレートを選択しなおすこともできる。
適宜、他の処理メニュー選択を行うことができる（Ｓ２０６）。
【００５７】
次に図１３を参照して、発注処理について説明する。
顧客端末からオリジナルコンテンツ記憶手段にログインし（Ｓ６００）、発注情報入力処理を選択し、入力画面を表示させる（Ｓ６０１）。発送先、発注数量などの発注情報を入力し、データをサーバーに送信（Ｓ６０２）サーバーにおいて受信し、顧客情報記憶手段に発注情報を記憶する（Ｓ６０３）。発注情報はすぐに正式発注するようにしてもよく、一時記憶させておき、あとで訂正できるようにしてもよい。
正式に発注する場合には（Ｓ６０４）、編集済レイアウトデータを呼び出し（Ｓ６０５）、プレビューさせるなどして、編集済レイアウトデータと発注情報の確認処理を行う（Ｓ６０６）。
発注することを指示するデータを送信し（Ｓ６０７）、サーバーにおいて受信され、データ出力処理が行われる（Ｓ６０８）。
データ出力処理は、第一の実施形態においては、サーバー管理者側において編集され記憶されたレイアウトデータを印刷可能なデータとして出力する処理、あるいは印刷機器等に対し編集済レイアウトデータを自動的に伝送する処理である。  また第二の実施形態においては、編集され記憶されたレイアウトデータを情報収録媒体に印刷または収録可能なデータとして出力する処理であり、サーバー管理者において、あるいは自動的に情報記録媒体への書き込み処理を行うドライブへのデータ出力を行う処理である。あるいは情報収録媒体の場合には、顧客が完成したデジタルコンテンツをサーバーにアップロードすることにより、ダウンロード等を可能にする出力処理である。
【産業上の利用可能性】
【００５８】
以上詳細に説明したように、本発明によれば、顧客、印刷事業者の二者だけではなく、たとえば結婚式場、スポーツ施設、アミューズメント施設等のサービス等を提供する提供者（「提供者」という）と、顧客と、印刷事業者等とを含めた三者からなるシステムを提供し、提供者オリジナルの印刷物を発注することができ、顧客の記念にもなるばかりではなく、提供者側でも集客に結びつけることができる。
さらに、印刷物以外のデジタルコンテンツ、たとえばデジタルコンテンツを収録したＣＤ−ＲＯＭその他のオリジナル情報収録媒体の発注においても、同様の利用形態をとることが可能になる。
【図面の簡単な説明】
【００５９】
【図１】本発明のシステムの基本的な構成の一例を示すシステム構成図である。
【図２】提供者情報記憶手段に記憶される提供者情報の一例を示すデータ模式図である。
【図３】特定の顧客を一意に識別することができる顧客識別情報の一例を示すデータ模式図である。
【図４】少なくとも顧客が提供者のサービスを利用等したことを識別することができる顧客識別情報の一例を示すデータ模式図である。
【図５】提供者情報記憶手段に記憶される顧客識別情報の一例を示すデータ模式図である。
【図６】提供者情報記憶手段に記憶される顧客識別情報の一例を示すデータ模式図である。
【図７】顧客情報記憶手段に記憶される顧客情報と、印刷物発注情報情報または収録媒体発注情報との一例を示すデータ模式図である。
【図８】本発明の基本的な処理の流れの一例を示すフローチャートである。
【図９】本発明の基本的な処理の流れの一例を示すフローチャートである。
【図１０】本発明の基本的な処理の流れの一例を示すフローチャートである。
【図１１】本発明の基本的な処理の流れの一例を示すフローチャートである。
【図１２】本発明の基本的な処理の流れの一例を示すフローチャートである。
【図１３】本発明の基本的な処理の流れの一例を示すフローチャートである。
【図４】
2005208859.tif 000003
【図８】
2005208859.tif 000004
【図９】
2005208859.tif 000005
【図１３】
2005208859.tif 000006
【図１】
2005208859.tif 000007
【図２】
2005208859.tif 000008
【図３】
2005208859.tif 000009
【図５】
2005208859.tif 000010
【図６】
2005208859.tif 000011
【図７】
2005208859.tif 000012
【図１０】
2005208859.tif 000013
【図１１】
2005208859.tif 000014
【図１２】
2005208859.tif 000015